(57)【要約】【課題】  太陽電池ユニット、キャパシタ・ユニット、充電回路ユニット、有機発光ダイオード（OLED）、及び放電回路ユニットを有する発光装置を提供する。【解決手段】  太陽電池ユニットは、電流を発生させるように太陽エネルギーを変換するために使用される。キャパシタ・ユニットは太陽電池ユニットに結合され、電力を保存するために使用される。充電回路ユニットは、太陽電池ユニットとキャパシタ・ユニットとの間に結合され、そのキャパシタ・ユニットを充電するように電流を使用するために利用される。OLEDユニットは、キャパシタ・ユニットに結合されている。放電回路ユニットは、キャパシタ・ユニットとOLEDユニットとの間に結合され、キャパシタ・ユニットを放電してOLEDユニットの照明を制御するために使用される。【選択図】図１
2012099777.tif 000002
【特許請求の範囲】
【請求項１】
電流を発生させるために太陽エネルギーを変換するための太陽電池ユニット；
電力を保存するために該太陽電池ユニットに結合されたキャパシタ・ユニット；
該太陽電池ユニットと該キャパシタ・ユニットとの間に結合され、該キャパシタ・ユニットを充電するように電流を使用するために利用される充電回路ユニット；
前記キャパシタ・ユニットに結合された有機発光ダイオード（OLED）；及び
該キャパシタ・ユニットと該有機発光ダイオードとの間に結合され、該キャパシタ・ユニットを放電し有機発光ダイオードの照明を制御するために使用される、放電回路ユニット；
を含む発光装置。
【請求項２】
光感知信号を生成するように周囲の環境光の強度を感知するために前記放電回路ユニットに結合された光感知ユニットであり、該放電回路ユニットは、前記光感知信号に従って前記キャパシタ・ユニットを放電して前記有機発光ダイオードの照明を制御する、光感知ユニット；
をさらに含む、請求項１に記載の発光装置。
【請求項３】
前記発光装置へ予備電力を供給するために使用される外部の電力ユニットにさらに結合された、請求項１に記載の発光装置。
【請求項４】
前記キャパシタ・ユニットは、薄膜超キャパシタである、請求項１に記載の発光装置。
【請求項５】
照明システム又は表示システムにおいて実施される、請求項１に記載の発光装置。
【請求項６】
剛性を有する、請求項１に記載の発光装置。
【請求項７】
可塑性を有する、請求項１に記載の発光装置。
【請求項８】
ガラス板に統合された、請求項１に記載の発光装置。
【請求項９】
前記ガラス板は、異なる色又は透明性を有する、請求項１に記載の発光装置。
【請求項１０】
前記ガラス板が透明である、請求項１に記載の発光装置。
【請求項１１】
前記ガラス板が不透明である、請求項１に記載の発光装置。
【請求項１２】
前記ガラス板が半透明である、請求項１に記載の発光装置。
【発明の詳細な説明】
【技術分野】
【０００１】
本発明は発光装置に関し、さらに具体的には、下記の問題を解決するように、電力消費を効率的に低減することが可能な、極薄の厚さ及び可塑性を有する発光装置に関する。
【背景技術】
【０００２】
一般的に、ほぼ全ての照明システム（様々な照明ランプ又は装飾用ランプなど）及び表示システム（様々な表示広告板又信号機など）に適用される従来の発光装置は、正常に動作するために外部の電力に接続される必要がある。従って、従来の発光装置は、電力消費を効率的に低減することが可能でない。さらに、従来の発光装置は可塑性を持たない。
【発明の概要】
【発明が解決しようとする課題】
【０００３】
従って、本発明の目的は、上記の問題を解決するように、電力消費を効率的に低減することが可能な、極薄の厚さ及び可塑性を有する発光装置を提供することである。
【課題を解決するための手段】
【０００４】
本発明の実施形態に従って、発光装置が開示される。該発光装置は：太陽電池ユニット、キャパシタ・ユニット、充電回路ユニット、有機発光ダイオード（OLED）、及び放電回路ユニットを含む。その太陽電池ユニットは、電流を発生させるように太陽エネルギーを変換するために使用される。充電回路ユニットは、太陽電池ユニットとキャパシタ・ユニットとの間に結合され、そのキャパシタ・ユニットを充電するために電流を使用するために利用される。放電回路ユニットは、キャパシタ・ユニットとOLEDユニットとの間に結合され、そのキャパシタ・ユニットを放電し、OLEDユニットの照明を制御するために使用される。
【０００５】
簡潔にまとめると、本発明によって開示される発光装置は、電力消費を効率的に低減することが可能であり、極薄の厚さ及び可塑性を有する。それに加えて、本発明の発光装置は、様々な照明システム又は表示システムにおいて実施され得る。
【０００６】
本発明のこれら及び他の目的は、様々な図表において説明されている望ましい実施形態の以下の詳細な記載を当業者が読むことによって明確になるはずである。
【図面の簡単な説明】
【０００７】
【図１】本発明の第1実施形態による発光装置の簡略化されたブロック図である。
【図２】本発明の第2実施形態による発光装置の簡略化されたブロック図である。
【図３】本発明の第3実施形態による発光装置の簡略化されたブロック図である。
【図４】本発明の第4実施形態による発光装置の簡略化されたブロック図である。
【発明を実施するための形態】
【０００８】
以下の記載及び請求項の全体を通して、特定のシステム要素を呼ぶのに一定の用語が使用されている。当業者が理解するように、製造者は、異なる名称で構成要素を呼んでもよい。本文献は、名称が異なっていても機能は異ならない構成要素を区別することは目的としていない。以下の考察及び請求項において、「含む」、「含んでいる」、「有する」及び「有している」などの用語は、無制限な方式で使用されていることから、「・・・を含むが、・・・だけに限定されていない」ことを意味していると解釈されるべきである。「結合する」及び「結合されている」という用語は、間接的又は直接的な電気接続のいずれか一方を意味することを目的としている。従って、第1装置が第２装置に結合する場合、その接続は直接的な電気接続又は他の装置又は接続を通した間接的な接続であってもよい。
【実施例１】
【０００９】
図１を参照されたい。図1は、本発明の第１実施形態に従って、発光装置100の簡略化されたブロック図を示す。図１に示されるように、その発光装置100は：太陽電池ユニット102、キャパシタ・ユニット104、充電回路ユニット106、有機発光ダイオード（OLED）、及び放電回路ユニット110を含む。太陽電池ユニット102は、電流を発生させるように太陽エネルギーを変換するために使用される。キャパシタ・ユニット104は、太陽電池ユニット102に結合され電力を保存するために使用される。そのキャパシタ・ユニット104は、薄膜超キャパシタであってもよい。
【００１０】
充電回路ユニット106は、太陽電池ユニット102とキャパシタ・ユニット104との間に結合されており、太陽電池ユニット102によって発せられた電流を使用してキャパシタ・ユニット104を充電するために使用される。OLEDユニット108は、キャパシタ・ユニット104に結合されている。放電回路ユニット110は、キャパシタ・ユニット104とOLEDユニット108との間に結合され、キャパシタ・ユニット104を放電し、OLEDユニット108の照明を制御するために使用される。発光装置100は、照明システム又は表示システムに使用され得ることに注目されたい。例えば、その照明システムは、様々な照明ランプ又は装飾用ランプであってもよく、表示システムは、様々な表示広告板又は信号機であってもよい。本発明は、発光装置100においてOLEDを使用することから、発光装置100は、剛性又は可塑性を有し得る。さらに、発光装置100は、ガラス板に統合されてもよいことから極薄の厚さを有してもよく、そのガラス板は、異なる色又は透明性を有してもよい。例えば、そのガラス板は、透明、不透明又は半透明であってもよい。この実施形態において、ガラス板は、追加の電力装置無しで正常に動作することが可能である。
【００１１】
本発明の第２実施形態において、図１の発光装置100は、図２に示されているように、外部の電力ユニット120にさらに結合されている。その外部の電力ユニット120は、予備の電力を発光装置100に供給するために使用される。
【００１２】
本発明の第３実施形態において、図１における発光装置100は、図３に示されるように、光感知ユニット130をさらに含む。光感知ユニット130は、周囲の環境光の強度を感知し光感知信号Sを生成するために、放電回路ユニット110に結合されており、放電回路ユニット110は、その光感知信号Sに従ってキャパシタ・ユニット104を放電し、OLEDユニット108の照明を制御する。
【００１３】
本発明の第４実施形態において、図３における発光装置100は、図４に示されるように、外部の電力ユニット140にさらに結合されている。外部の電力ユニット140は、発光装置100に呼び電力を供給するために使用される。ここで、上記の実施形態は、説明のみを目的としており、本発明の限定を意味しないことに注目されたい。
【００１４】
簡潔にまとめると、本発明によって開示される発光装置は、電力消費を効率的に低減することが可能であり、極薄の厚さ及び可塑性を有する。さらに、本発明の発光装置は、様々な照明システム又は表示システムにおいて実施されてもよい。
【００１５】
当業者は、当該装置及び方法の多数の改良形及び変化形が、本発明の教示を維持する一方で作成されてもよいことを容易に理解するであろう。
【符号の説明】
【００１６】
100…発光装置
102…太陽電池ユニット
104…キャパシタ・ユニット
106…充電回路ユニット
108…有機発光ダイオード（OLED）
110…放電回路ユニット
120…外部の電力ユニット
130…光感知ユニット
140…外部の電力ユニット
【図１】
2012099777.tif 000003
【図２】
2012099777.tif 000004
【図３】
2012099777.tif 000005
【図４】
2012099777.tif 000006